(57)【要約】【課題】  反射笠を取付ける取取付金具と照明器具本体との間の電気的接続を手間無く簡単に行うことができること。【解決手段】  表面全域に絶縁塗装した金属製箱状の照明器具本体１の係合孔１ｂに、取付金具３の係合片３ａを本体１の開口端を狭めて嵌め込んで本体１に金具３を固定し、固定した金具３にラッチ４により反射笠２を固定する構造であって、金具３には本体１１の開口端縁に当接する位置に切起し爪片３ｃを設け、前記嵌め込みと同時に本体１の開口端縁の絶縁塗膜を剥離し、反射笠２をラッチ４、取付金具３、取付金具３の切起し爪片３ｂを経由して照明器具本体１と同電位に維持する。【選択図】  図１
2005228483.tif 000002
【特許請求の範囲】
【請求項１】
内部に点灯用の回路部品を収納し、一面を開口するとともに対向する両側面に係合孔が形成され、表面全域に絶縁塗膜を施した金属製箱状の照明器具本体と、前記照明器具本体の開口を覆い、中央部にラッチ挿通孔を形成した光源の光を反射する金属製の反射笠と、内側に折り曲げた両側の端部をそれぞれに前記係合孔に係合する係合片を有し、中央部にラッチ挿通孔を形成した取付金具とを備え、前記照明器具本体の開口をまたいで前記照明器具本体の側壁に形成した係合孔に嵌め込んで固定した前記取付金具に前記反射笠をラッチにより電気的に接続固定してなる照明器具の反射笠取着構造であって、前記取付金具の前記照明器具本体の開口端縁に当接する位置に、前記照明器具本体への嵌め込み時に前記開口端縁の絶縁塗膜を切欠き剥離する切起し爪片を形成し、前記切起し爪片を介して前記取付金具と前記照明器具本体とを電気的に接続してなることを特徴とする照明器具の反射笠取着構造。
【発明の詳細な説明】
【技術分野】
【０００１】
本発明は、照明器具の反射笠取着構造に関するものである。
【背景技術】
【０００２】
蛍光灯などを光源とする照明器具は、内部に点灯用の回路部品を収納する一面が開口された金属製箱状の照明器具本体と、光源の光を反射する金属製の反射笠とにより構成され、照明器具本体および反射笠の表面全域は金属を保護するために絶縁性の途膜で覆われている。そして、反射笠は、照明器具本体にねじ締め固定した取付金具にねじなどにより照明器具本体に取付けられる。このように構成された照明器具は、設置時には照明器具本体は接地され、反射笠は取付金具に固定するねじ、取付金具、取付金具を照明器具本体に固定するねじおよび照明器具本体を介して接地されている。
【０００３】
しかし、反射笠を照明器具本体にねじ締め固定した取付金具にねじなどにより照明器具本体に取付ける照明器具の反射笠取着構造では、ネジ締めなどの工具を要し、またネジなどの付属部品の点数が多く照明器具の組み立てに多くの手間を要するという問題があった。この問題を解消するために取付金具を、照明器具本体の弾性を利用して照明器具本体に掛け止めし、照明器具本体に掛け止めした取付金具にラッチにより反射笠を固定する反射笠取着構造が考えられている。
【０００４】
このような反射笠取着構造にすると、ネジなどの付属部品やネジ締めなどの工具を必要とせず、照明器具の組み立てが簡単となる。しかし、取付金具が照明器具本体に掛け止めされるため取付金具と照明器具本体との間で塗装により絶縁され、照明器具本体内に収納した電線などが反射板上に垂れ下がった場合には反射板の電位を高め、反射板に触れると感電する恐れがあるといった問題があった。
【発明の開示】
【発明が解決しようとする課題】
【０００５】
本発明が解決しようとする課題は、取付金具と照明器具本体との間の電気的接続を手間無く簡単に行うことのできる照明器具の反射笠取着構造を提供し、斯かる問題を解消する点にある。
【課題を解決するための手段】
【０００６】
本発明は、内部に点灯用の回路部品を収納し、一面を開口するとともに対向する両側面に係合孔が形成され、表面全域に絶縁塗膜を施した金属製箱状の照明器具本体と、前記照明器具本体の開口を覆い、中央部にラッチ挿通孔を形成した光源の光を反射する金属製の反射笠と、内側に折り曲げた両側の端部をそれぞれに前記係合孔に係合する係合片を有し、中央部にラッチ挿通孔を形成した取付金具とを備え、前記照明器具本体の開口をまたいで前記照明器具本体の側壁に形成した係合孔に嵌め込んで固定した前記取付金具に前記反射笠をラッチにより電気的に接続固定してなる照明器具の反射笠取着構造であって、前記取付金具の前記照明器具本体の開口端縁に当接する位置に、前記照明器具本体への嵌め込み時に前記開口端縁の絶縁塗膜を切欠き剥離する切起し爪片を形成し、前記切起し爪片を介して前記取付金具と前記照明器具本体とを電気的に接続してなることを最も主要な特徴とする。
【発明の効果】
【０００７】
本発明に係る照明器具の反射笠取着構造では、照明器具本体に固定する取付金具の照明器具本体の開口端縁に当接する位置に、開口端面の絶縁塗膜を切欠き剥離する切起し爪片を形成しているので、照明器具本体の開口端を狭めて取付金具を嵌め込むだけの作業で、照明器具本体と取付金具は電気的に確実に接続した状態で手間なく簡単に固定することができる。
【発明を実施するための最良の形態】
【０００８】
取付金具と照明器具本体との間の電気的接続を手間無く簡単に行うことのできる照明器具の反射笠取着構造を提供する目的を、照明器具本体に反射笠を固定する取付金具に、照明器具本体の開口端縁に当接して絶縁塗膜を切欠き剥離する切起し爪片を形成し、照明器具本体に嵌め込むだけで照明器具本体と取付金具は電気的に確実に接続した状態で固定することにより実現した。
【実施例】
【０００９】
図１は本発明の実施例に係る照明器具の反射笠取着構造を示す正面断面図（ａ）と側面図（ｂ）および要部拡大図（ｃ）、図２は取付金具の平面図、図３は照明器具の組立て概略斜視図である。図３において、１は点灯用の回路を収納する照明器具本体、２は反射笠、３は取付金具、４はラッチ、５はソケット、６は光源（この例は直管形の蛍光放電灯）である。
【００１０】
照明器具本体１は、金属製で下面が開口する箱状をなし、開口端面１ａを含む全表面に絶縁性塗膜が形成されている。取付金具３は亜鉛鋼板などの金属板で構成され、照明器具本体１の両側の開口端面１ａをまたいで照明器具本体１に固定されている。ラッチ４は取付金具３と電気的に接続された状態で取付けられている。反射笠２は表裏全面に絶縁性塗膜が形成され、その幅方向中央部にラッチ４の操作部４ａを挿通する長孔２ａが形成されており、この長孔２ａにしたがいラッチ４の操作部４ａを挿通し、操作部４ａを９０度回動して照明器具本体１に固定した取付金具３に固定される。そして、照明器具本体１から突出するソケット５に光源６が装着される。
【００１１】
具体的には、照明器具本体１は、図１（ａ）に示すように対向する両側の側壁の開口端部は内側に折り返され、開口端面１ａに丸みを形成するとともに、その両側の側壁に、図１（ｂ）に示すように係合孔１ｂが形成されている。一方、取付金具３は、図２に示すように平面視ほぼ長方形をなし、長手方向の寸法は照明器具本体１の幅寸法とされ、両側の端部はそれぞれ照明器具本体１の開口端部の折返し分立ち上げて内側に折り曲げて係合片３ａを形成している。中央部は台形状に折り曲げ、その台形状の平面中央部にラッチ挿通孔３ｂが形成されている。そして、両側の端部の近傍位置、すなわち照明器具本体１の開口端面１ａに対応する位置に台形状の折り曲げ突部と同方向に突出する切起し爪片３ｃが形成されている。
【００１２】
取付金具３の照明器具本体１への取付けは、照明器具本体１の開口端を弾性力に抗して狭め、取付金具３を照明器具本体１の開口にあてがい取付金具３の係合片３ａの先端を照明器具本体１の係合孔１ｂに位置させ、照明器具本体１の開口端の弾性力で照明器具本体１を復元させる。この復元により取付金具３の係合片３ａが照明器具本体１の係合孔１ｂに嵌め込まれ、同時に復元する移動により切起し爪片３ｃが照明器具本体１の開口端面１ａに圧接移動し、その開口端面１ａの絶縁塗膜を剥離する。この剥離により切起し爪片３ｃと照明器具本体１は電気的に接続し、その接続状態で取付金具３は照明器具本体１に固定される。
【００１３】
このように照明器具本体１に取付金具３を固定したあと取付金具３にラッチ４を取付け、反射笠２をこのラッチ４で取付ける。その取付けの際、ラッチ４の操作部４ａの回動で、ラッチ軸の導電部が反射笠２の長孔２ａの塗膜を剥離し、反射笠２とラッチ４は電気的に接続される。すなわち、反射笠２はラッチ４、取付金具３、取付金具３の切起し爪片３ｃを経由して照明器具本体１と同電位（接地電位）に維持される。したがって、照明器具本体内に収納した電線などが反射板上に垂れ下がっても感電する恐れは解消される。
【００１４】
以上は、一箇所における照明器具の反射笠取着構造であるが、斯かる取着構造を複数の箇所で採用することは任意である。
【図面の簡単な説明】
【００１５】
【図１】本発明の実施例に係る照明器具の反射笠取着構造を示す断面図（ａ）、側面図（ｂ）および要部拡大図（ｃ）である。
【図２】本発明の実施例に係る取付金具の平面図である。
【図３】本発明の実施例に係る照明器具の組立てを示す概略斜視図である。
【符号の説明】
【００１６】
１  照明器具本体
１ａ  開口端面
１ｂ  係合孔
２  反射笠
２ａ  ラッチ挿通長孔
３  取付金具
３ａ  係合片
３ｃ  切起し爪片
４  反射笠取付用ラッチ
【図１】
2005228483.tif 000003
【図２】
2005228483.tif 000004
【図３】
2005228483.tif 000005